(57)【要約】【課題】ブラックライトから出射される紫外線を透過できかつ紫外線に反応する塗料を定着させることができる透過型のブラックライト・アート用パネルを提供する。【解決手段】ブラックライト・アート用パネル１０は、紫外線は透過するが可視光は透過しないパネル本体１１と、パネル本体１１上に設けられた定着剤層１２と、定着剤層１２上に設けられた第１の保護剤層１３と、第１の保護剤層１３上に設けられたブラックライト・アート専用塗料層１４と、ブラックライト・アート専用塗料層１４上に設けられた第２の保護剤層１５とを含む。また、第１および第２の保護剤層１３，１５は、ブラックライト・アート専用塗料層１４を保護するための保護剤を含む。【選択図】    図１
2004333867.tif 000002
【特許請求の範囲】
【請求項１】
ブラックライト・アート用パネル（１０）において、
紫外線は透過するが可視光は透過しないパネル本体（１１）と、
該パネル本体（１１）上に設けられた定着剤層（１２）と、
該定着剤層（１２）上に設けられた第１の保護剤層（１３）と、
該第１の保護剤層（１３）上に設けられたブラックライト・アート専用塗料層（１４）と、
該ブラックライト・アート専用塗料層（１４）上に設けられた第２の保護剤層（１５）と、
を含み、
前記第１および第２の保護剤層（１３，１５）が、前記ブラックライト・アート専用塗料層（１４）を保護するための保護剤を含む、
ことを特徴とする、ブラックライト・アート用パネル。
【請求項２】
前記パネル本体（１１）がアルコール系樹脂からなることを特徴とする、請求項１記載のブラックライト・アート用パネル。
【請求項３】
前記保護剤が少なくともキシレンおよびトルエンを含むことを特徴とする、請求項１または２記載のブラックライト・アート用パネル。
【請求項４】
ブラックライト・アート装置（３０）において、
１つの側面が開口された筐体（３１）と、
該筐体（３１）の内部に設けられた紫外線光源であるブラックライト（３２）と、
前記筐体（３１）の前記開口された側面に設けられたブラックライト・アート用パネル（１０）と、
を備え、
前記ブラックライト・アート用パネル（１０）が、
紫外線は透過するが可視光は透過しないパネル本体（１１）と、
該パネル本体（１１）上に設けられた定着剤層（１２）と、
該定着剤層（１２）上に設けられた第１の保護剤層（１３）と、
該第１の保護剤層（１３）上に設けられたブラックライト・アート専用塗料層（１４）と、
該ブラックライト・アート専用塗料層（１４）上に設けられた第２の保護剤層（１５）と、
を含み、
前記第１および第２の保護剤層（１３，１５）が、前記ブラックライト・アート専用塗料層（１４）を保護するための保護剤を含む、
ことを特徴とする、ブラックライト・アート装置。
【請求項５】
前記パネル本体（１１）がアルコール系樹脂からなることを特徴とする、請求項４記載のブラックライト・アート装置。
【請求項６】
前記保護剤が少なくともキシレンおよびトルエンを含むことを特徴とする、請求項４または５記載のブラックライト・アート装置。
【請求項７】
ブラックライト・アート装置（４０）において、
紫外線光源であるブラックライト（４１）と、
該ブラックライト（４１）を囲むように設けられたブラックライト・アート用パネル（４２）と、
を備え、
前記ブラックライト・アート用パネル（４２）が、
紫外線は透過するが可視光は透過しないパネル本体（１１）と、
該パネル本体（１１）上に設けられた定着剤層（１２）と、
該定着剤層（１２）上に設けられた第１の保護剤層（１３）と、
該第１の保護剤層（１３）上に設けられたブラックライト・アート専用塗料層（１４）と、
該ブラックライト・アート専用塗料層（１４）上に設けられた第２の保護剤層（１５）と、
を含み、
前記第１および第２の保護剤層（１３，１５）が、前記ブラックライト・アート専用塗料層（１４）を保護するための保護剤を含む、
ことを特徴とする、ブラックライト・アート装置。
【請求項８】
前記パネル本体（１１）がアルコール系樹脂からなることを特徴とする、請求項７記載のブラックライト・アート装置。
【請求項９】
前記保護剤が少なくともキシレンおよびトルエンを含むことを特徴とする、請求項７または８記載のブラックライト・アート装置。
【請求項１０】
ブラックライト・アート装置（７０）において、
壁または天井などに取り付けられた、紫外線光源であるブラックライト（７１）と、
該ブラックライト（７１）を挟んで前記壁または前記天井などに取り付けられたブラックライト・アート用パネル（１０）と、
を備え、
前記ブラックライト・アート用パネル（１０）が、
紫外線は透過するが可視光は透過しないパネル本体（１１）と、
該パネル本体（１１）上に設けられた定着剤層（１２）と、
該定着剤層（１２）上に設けられた第１の保護剤層（１３）と、
該第１の保護剤層（１３）上に設けられたブラックライト・アート専用塗料層（１４）と、
該ブラックライト・アート専用塗料層（１４）上に設けられた第２の保護剤層（１５）と、
を含み、
前記第１および第２の保護剤層（１３，１５）が、前記ブラックライト・アート専用塗料層（１４）を保護するための保護剤を含む、
ことを特徴とする、ブラックライト・アート装置。
【請求項１１】
前記パネル本体（１１）がアルコール系樹脂からなることを特徴とする、請求項１０記載のブラックライト・アート装置。
【請求項１２】
前記保護剤が少なくともキシレンおよびトルエンを含むことを特徴とする、請求項１０または１１記載のブラックライト・アート装置。
【請求項１３】
ブラックライト・アート用パネルの製造方法において、
紫外線は透過するが可視光は透過しないパネル本体（１１）上に定着剤層（１２）を設けるステップと、
前記定着剤層（１２）上に第１の保護剤層（１３）を設けるステップと、
前記第１の保護剤層（１３）上にブラックライト・アート専用塗料層（１４）を設けるステップと、
前記ブラックライト・アート専用塗料層（１４）上に第２の保護剤層（１５）を設けるステップと、
を含み、
前記第１および第２の保護剤層（１３，１５）が、前記ブラックライト・アート専用塗料層（１４）を保護するための保護剤を含む、
ことを特徴とする、ブラックライト・アート用パネルの製造方法。
【請求項１４】
前記パネル本体（１１）がアルコール系樹脂からなることを特徴とする、請求項１３記載のブラックライト・アート用パネルの製造方法。
【請求項１５】
前記保護剤が少なくともキシレンおよびトルエンを含むことを特徴とする、請求項１３または１４記載のブラックライト・アート用パネルの製造方法。
【発明の詳細な説明】
【０００１】
【発明の属する技術分野】
本発明は、風景や動物などの絵を幻想的に浮かび上がらせるブラックライト・アート用パネル、それを用いたブラックライト・アート装置およびブラックライト・アート用パネルの製造方法に関し、特に、ブラックライトから出射される紫外線を透過できかつ紫外線に反応する塗料を定着させることができるブラックライト・アート用パネル、それを用いた内照式のブラックライト・アート装置およびこのようなブラックライト・アート用パネルの製造方法に関する。
【０００２】
【従来の技術】
近年、部屋はもとより浴室、トイレ、エレベータ、ホテルのロビー、建物の壁面、駐車場などの様々なスペースに風景や動物などの絵を幻想的に浮かび上がらせるブラックライト・アートが注目されている。
【０００３】
図５（ａ），（ｂ）は従来のブラックライト・アートの一例を示す図であり、（ａ）は紫外線を照射される前のブラックライト・アート用パネルを示し、（ｂ）は紫外線を照射したときのブラックライト・アート用パネルを示す。
図５（ａ）に示すように、紫外線を照射する前では、ブラックライト・アート用パネル上に描かれた絵のシルエットしか見えない。しかし、部屋を暗くしてブラックライト・アート用パネルにブラックライト（紫外線光源）から紫外線を照射すると、ブラックライト・アート用パネル上に描かれた絵がきれいに浮かび上がり、独特の世界を生じさせることができる。
【０００４】
従来、このようなブラックライト・アート装置に用いられるブラックライト・アート用パネルとしては、図５に示すように、反射型パネルが使用されている。すなわち、ブラックライト・アートを見る者の側である部屋の天井にブラックライトを取り付け、このブラックライトから紫外線をブラックライト・アート用パネルに照射して、ブラックライト・アート用パネルに絵を描くために塗布された塗料を発光させている。
【０００５】
【発明が解決しようとする課題】
しかしながら、このような従来の反射型のブラックライト・アート装置では、以下に示すような問題がある。
（１）ブラックライト・アート用パネルは反射型であるため、明るい部屋では紫外線を照射しても絵がきれいに浮かび上がらず、暗くした部屋でなければ使用できない。
（２）ブラックライト・アート用パネルは反射型であるため、紫外線を出射するためのブラックライトを部屋の天井などに取り付ける必要がある（図５参照）。そのため、ブラックライト・アートを見る者にもブラックライトが見え、外観上好ましくない。
（３）ブラックライト・アート用パネル全体に描かれた絵を均一に浮かび上がらせるためには、このパネル全体に紫外線を照射する必要がある。そのため、ブラックライトとブラックライト・アート用パネルとの距離をある程度確保する必要があり、装置全体の設置スペースが大きくなる。
【０００６】
本発明の目的は、ブラックライトから出射される紫外線を透過できかつ紫外線に反応する塗料を定着させることができる透過型のブラックライト・アート用パネルを提供することにある。
本発明の他の目的は、暗所でなくても絵を浮かび上がらせることができる内照型のブラックライト・アート装置を提供することにある。
本発明のさらに他の目的は、ブラックライトから出射される紫外線を透過できかつ紫外線に反応する塗料を定着させることができる透過型のブラックライト・アート用パネルを製造することができるブラックライト・アート用パネルの製造方法を提供することにある。
【０００７】
【課題を解決するための手段】
本発明のブラックライト・アート用パネル（１０）は、紫外線は透過するが可視光は透過しないパネル本体（１１）と、該パネル本体（１１）上に設けられた定着剤層（１２）と、該定着剤層（１２）上に設けられた第１の保護剤層（１３）と、該第１の保護剤層（１３）上に設けられたブラックライト・アート専用塗料層（１４）と、該ブラックライト・アート専用塗料層（１４）上に設けられた第２の保護剤層（１５）とを含み、前記第１および第２の保護剤層（１３，１５）が、前記ブラックライト・アート専用塗料層（１４）を保護するための保護剤を含むことを特徴とする。
また、前記パネル本体（１１）はアルコール系樹脂からなることを特徴とする。
さらに、前記保護剤が少なくともキシレンおよびトルエンを含むことを特徴とする。
【０００８】
本発明の第１のブラックライト・アート装置（３０）は、１つの側面が開口された筐体（３１）と、該筐体（３１）の内部に設けられた紫外線光源であるブラックライト（３２）と、前記筐体（３１）の前記開口された側面に設けられたブラックライト・アート用パネル（１０）とを備え、前記ブラックライト・アート用パネル（１０）が、紫外線は透過するが可視光は透過しないパネル本体（１１）と、該パネル本体（１１）上に設けられた定着剤層（１２）と、該定着剤層（１２）上に設けられた第１の保護剤層（１３）と、該第１の保護剤層（１３）上に設けられたブラックライト・アート専用塗料層（１４）と、該ブラックライト・アート専用塗料層（１４）上に設けられた第２の保護剤層（１５）とを含み、前記第１および第２の保護剤層（１３，１５）が、前記ブラックライト・アート専用塗料層（１４）を保護するための保護剤を含むことを特徴とする。
また、前記パネル本体（１１）がアルコール系樹脂からなることを特徴とする。
さらに、前記保護剤が少なくともキシレンおよびトルエンを含むことを特徴とする。
【０００９】
本発明の第２のブラックライト・アート装置（４０）は、紫外線光源であるブラックライト（４１）と、該ブラックライト（４１）を囲むように設けられたブラックライト・アート用パネル（４２）とを備え、前記ブラックライト・アート用パネル（４２）が、紫外線は透過するが可視光は透過しないパネル本体（１１）と、該パネル本体（１１）上に設けられた定着剤層（１２）と、該定着剤層（１２）上に設けられた第１の保護剤層（１３）と、該第１の保護剤層（１３）上に設けられたブラックライト・アート専用塗料層（１４）と、該ブラックライト・アート専用塗料層（１４）上に設けられた第２の保護剤層（１５）とを含み、前記第１および第２の保護剤層（１３，１５）が、前記ブラックライト・アート専用塗料層（１４）を保護するための保護剤を含むことを特徴とする。
また、前記パネル本体（１１）がアルコール系樹脂からなることを特徴とする。
さらに、前記保護剤が少なくともキシレンおよびトルエンを含むことを特徴とする。
【００１０】
本発明の第３のブラックライト・アート装置（７０）は、壁または天井などに取り付けられた、紫外線光源であるブラックライト（７１）と、該ブラックライト（７１）を挟んで前記壁または前記天井などに取り付けられたブラックライト・アート用パネル（１０）とを備え、前記ブラックライト・アート用パネル（１０）が、紫外線は透過するが可視光は透過しないパネル本体（１１）と、該パネル本体（１１）上に設けられた定着剤層（１２）と、該定着剤層（１２）上に設けられた第１の保護剤層（１３）と、該第１の保護剤層（１３）上に設けられたブラックライト・アート専用塗料層（１４）と、該ブラックライト・アート専用塗料層（１４）上に設けられた第２の保護剤層（１５）とを含み、前記第１および第２の保護剤層（１３，１５）が、前記ブラックライト・アート専用塗料層（１４）を保護するための保護剤を含むことを特徴とする。
また、前記パネル本体（１１）がアルコール系樹脂からなることを特徴とする。
さらに、前記保護剤が少なくともキシレンおよびトルエンを含むことを特徴とする。
【００１１】
本発明のブラックライト・アート用パネルの製造方法は、紫外線は透過するが可視光は透過しないパネル本体（１１）上に定着剤層（１２）を設けるステップと、前記定着剤層（１２）上に第１の保護剤層（１３）を設けるステップと、前記第１の保護剤層（１３）上にブラックライト・アート専用塗料層（１４）を設けるステップと、前記ブラックライト・アート専用塗料層（１４）上に第２の保護剤層（１５）を設けるステップとを含み、前記第１および第２の保護剤層（１３，１５）が、前記ブラックライト・アート専用塗料層（１４）を保護するための保護剤を含むことを特徴とする。
また、前記パネル本体（１１）がアルコール系樹脂からなることを特徴とする。
さらに、前記保護剤が少なくともキシレンおよびトルエンを含むことを特徴とする。
【００１２】
【発明の実施の形態】
以下、本発明のブラックライト・アート用パネル、ブラックライト・アート装置およびブラックライト・アート用パネルの製造方法の実施の形態について図面を用いて説明する。
【００１３】
図１は本発明のブラックライト・アート用パネルの一実施の形態の構造を示すその一部の断面図である。
本実施の形態のブラックライト・アート用パネル１０は、平面形状のものであり、乳白色のポリプロプレン樹脂からなるパネル本体１１と、パネル本体１１上に設けられた定着剤層１２と、定着剤層１２上に設けられた、ブラックライト・アート専用塗料を保護するための第１の保護剤層１３と、第１の保護剤層１３上に設けられた、ブラックライト・アートの絵を描くためのブラックライト・アート専用塗料層１４と、ブラックライト・アート専用塗料層１４上に設けられた、ブラックライト・アート専用塗料層１４を保護するための第２の保護剤層１５とを備える。
【００１４】
すなわち、ブラックライト・アート用パネル１０は、ブラックライトから出射される紫外線は透過するが可視光は透過しない乳白色のポリプロプレン樹脂からなるパネル本体１１を備える。これにより、ブラックライト・アート用パネル１０の裏面側（パネル本体１１側）にブラックライトを設けても、ブラックライト・アート用パネル１０の表面側（第２の保護剤層１５側）にいるブラックライト・アートを鑑賞する者にブラックライト・アート用パネル１０を通してブラックライトが見えることを防止することができる。
【００１５】
定着剤層１２は、トルエンおよび樹脂を含むものであり、ポリプロプレン樹脂からなるパネル本体１１にブラックライト・アート専用塗料を塗布しても剥がれてしまうことを防止するための下地層となるものである。定着剤層１２は、ポリプロプレン樹脂からなるパネル本体１１にポリプロプレン樹脂と相性（相溶性）のよいプライマーを塗布または吹き付けることにより形成した。
【００１６】
第１の保護剤層１３は、定着剤層１２をパネル本体１１に塗布または吹き付けただけでは剥がれやすいために、これを剥がれにくくするために形成したものである。ここで、本発明者は、種々の実験を行った結果、第１の保護剤層１３としてブラックライト・アート専用塗料を保護するための保護剤（例えば、キシレンおよびトルエンを含む保護剤）を用い、これを定着剤層１２に塗布または吹き付けると定着剤層１２が剥がれにくくなることを見つけた。これにより、紫外線を透過しかつブラックライト・アート専用塗料を塗布することができるブラックライト・アート用パネルが実現できた。
【００１７】
ブラックライト・アート専用塗料層１４は、第１の保護剤層１３上にブラックライト・アート用の絵を描くためのものであり、現在市販されているブラックライト・アート専用塗料を使用して形成した。
【００１８】
第２の保護剤層１５は、ブラックライト・アート専用塗料層１４が剥がれることを防止するためのものであり、第１の保護剤層１３と同じ保護剤を使用して形成した。
【００１９】
以上のようにして構成されたブラックライト・アート用パネル１０の裏面（パネル本体１１）にブラックライトから紫外線を照射すると、紫外線は、パネル本体１１、定着剤層１２および第１の保護剤層１３を透過したのち、ブラックライト・アート専用塗料層１４を発光させる。これにより、ブラックライト・アート用パネル１０の表面側（第２の保護剤層１５側）にいる鑑賞者は、ブラックライト・アート用パネル１０から浮かび上がる絵を見ることができる。
【００２０】
次に、本発明のブラックライト・アート装置の実施の形態について説明する。
図２は本発明のブラックライト・アート装置の第１の実施の形態の構造を示す図である。
本実施の形態のブラックライト・アート装置３０は、１つの側面が開口された筐体３１と、筐体３１の内部に設けられた紫外線光源であるブラックライト３２と、筐体３１の開口された側面に設けられた図１に示したブラックライト・アート用パネル１０とを備える。ここで、ブラックライト・アート用パネル１０は、パネル本体１１が筐体３１の内部に向きかつ第２の保護剤層１５が筐体１１の外部に向くように筐体３１に取り付けられている。
【００２１】
以上のように構成されたブラックライト・アート装置３０では、ブラックライト３２から出射された紫外線は、ブラックライト・アート用パネル１０のパネル本体１１の全面に照射され、パネル本体１１を透過したのちに定着剤層１２および第１の保護剤層１３を透過してブラックライト・アート専用塗料層１４を照射する。これにより、ブラックライト・アート専用塗料層１４が発光し、この光が第２の保護剤層１５を透過して筐体３１の外部に出射されることにより、ブラックライト・アート用パネル１０を見ている人は、ブラックライト・アート専用塗料層１４によって描かれた幻想的な絵を見ることができる。
【００２２】
このブラックライト・アート装置３０では、筐体３１の内部から紫外線をブラックライト・アート用パネル１０に照射するため、筐体３１が置かれる場所は暗所でなくてもよい。したがって、従来の透過型のブラックライト・アート装置では暗所でしかブラックライト・アートを楽しめなかったという問題を解決することができる。
また、このブラックライト・アート装置３０では、ブラックライト・アート用パネル１０のパネル本体１１は、前述したように、ブラックライト３２から出射される紫外線は透過するが可視光は透過しないように乳白色のポリプロプレン樹脂からなるため、明るい場所に置かれても、可視光はブラックライト・アート用パネル１０を透過しない。したがって、ブラックライト・アート用パネル１０を見ている人は、ブラックライト・アート用パネル１０を通して筐体３１の内部を見ることなしに、ブラックライト・アートだけを見ることができる。
【００２３】
図３は本発明のブラックライト・アート装置の第２の実施の形態の構造を示す図である。
本実施の形態のブラックライト・アート装置４０は、紫外線光源であるブラックライト４１と、ブラックライト４１を囲むように設けられた円筒形状のブラックライト・アート用パネル４２と、ブラックライト・アート用パネル４２の上端側および下端側にそれぞれ設けられた上板４３および下板４４とを備える。ここで、ブラックライト・アート用パネル４２は、図１に示したブラックライト・アート用パネル１０と同様に、乳白色のポリプロプレン樹脂からなるパネル本体１１と、パネル本体１１上に設けられた定着剤層１２と、定着剤層１２上に設けられた、ブラックライト・アート専用塗料を保護するための第１の保護剤層１３と、第１の保護剤層１３上に設けられた、ブラックライト・アートの絵を描くためのブラックライト・アート専用塗料層１４と、ブラックライト・アート専用塗料層１４上に設けられた、ブラックライト・アート専用塗料層１４を保護するための第２の保護剤層１５とを備える。また、ブラックライト・アート用パネル４２は、パネル本体１１がブラックライト４１に向きかつ第２の保護剤層１５が外部に向くように設けられている。
【００２４】
以上のように構成されたブラックライト・アート装置４０では、ブラックライト４１から出射された紫外線は、ブラックライト・アート用パネル４２のパネル本体１１の全面に照射され、パネル本体１１を透過したのちに定着剤層１２および第１の保護剤層１３を透過してブラックライト・アート専用塗料層１４を照射する。これにより、ブラックライト・アート専用塗料層１４が発光し、この光が第２の保護剤層１５を透過して外部に出射されることにより、ブラックライト・アート用パネル４２を見ている人は、ブラックライト・アート専用塗料層１４によって描かれた絵を見ることができる。
ここで、ブラックライト・アート用パネル４２は円筒形状をしているため、ブラックライト・アート装置４０をどの角度から見ても幻想的な絵を楽しむことができる。
【００２５】
このブラックライト・アート装置４０では、円筒形状のブラックライト・アート用パネル４２の内部から紫外線をブラックライト・アート用パネル４２に照射するため、ブラックライト・アート装置４０が置かれる場所は暗所でなくてもよい。したがって、従来の透過型のブラックライト・アート装置では暗所でしかブラックライト・アートを楽しめなかったという問題を解決することができる。
また、このブラックライト・アート装置４０では、ブラックライト・アート用パネル４２のパネル本体１１は、前述したように、ブラックライト４１から出射される紫外線は透過するが可視光は透過しないように乳白色のポリプロプレン樹脂からなるため、明るい場所に置かれても、可視光はブラックライト・アート用パネル４２を透過しない。したがって、ブラックライト・アート用パネル４２を見ている人は、ブラックライト・アート用パネル４２の内部を見ることなしに、ブラックライト・アートだけを見ることができる。
【００２６】
なお、本実施の形態のブラックライト・アート装置４０では、ブラックライト・アート用パネル４２の形状を円筒形状としたが、他の形状（例えば、長方体形状）としてもよい。
また、ブラックライト・アート用パネル４２の上端側および下端側に上板４３および下板４４をそれぞれ設けたが、上板４３および下板４４の代わりに、図１に示したブラックライト・アート用パネル１０と同様の構造を有する平面型のブラックライト・アート用パネルを用いてもよい。
【００２７】
図４は本発明のブラックライト・アート装置の第３の実施の形態の構造を示す図である。
本実施の形態のブラックライト・アート装置７０は、部屋の壁に取り付けられた紫外線光源である複数本のブラックライト７１と、複数本のブラックライト７１を挟んで部屋の壁に取り付けられた図１に示したブラックライト・アート用パネル１０とを備える。ここで、ブラックライト・アート用パネル１０は、パネル本体１１が部屋の壁に向きかつ第２の保護剤層１５が部屋の内部に向くように部屋の壁に取り付けられている。
【００２８】
以上のように構成されたブラックライト・アート装置７０では、ブラックライト７１から出射された紫外線は、ブラックライト・アート用パネル１０のパネル本体１１の全面に照射され、パネル本体１１を透過したのちに定着剤層１２および第１の保護剤層１３を透過してブラックライト・アート専用塗料層１４を照射する。これにより、ブラックライト・アート専用塗料層１４が発光し、この光が第２の保護剤層１５を透過して部屋の内部に出射されることにより、ブラックライト・アート用パネル１０を見ている人は、ブラックライト・アート専用塗料層１４によって描かれた絵を見ることができる。
【００２９】
このブラックライト・アート装置７０では、部屋の壁から紫外線をブラックライト・アート用パネル１０に照射するため、ブラックライト・アート装置７０が置かれる部屋を暗くしなくてもブラックライト・アートを浮かび上がらせることができる。したがって、従来の透過型のブラックライト・アート装置では部屋を暗くしなければブラックライト・アートを楽しめなかったという問題を解決することができる。
また、このブラックライト・アート装置７０では、ブラックライト・アート用パネル１０のパネル本体１１は、前述したように、ブラックライト７１から出射される紫外線は透過するが可視光は透過しないように乳白色のポリプロプレン樹脂からなる。したがって、明るい部屋に置かれても、可視光はブラックライト・アート用パネル１０を透過せず、ブラックライト・アート用パネル１０を見ている人は、ブラックライト・アート用パネル１０を通してブラックライト７１を見ることなしに、ブラックライト・アートだけを見ることができる。
【００３０】
このブラックライト・アート装置７０では、ブラックライト７１およびブラックライト・アート用パネル１０を部屋の壁に取り付けたが、他の場所（例えば、部屋の天井）に取り付けてもよい。
【００３１】
以上の説明では、ブラックライト・アート用パネル１０，４２のパネル本体１１はポリプロプレン樹脂から構成されたが、アルコール系樹脂であればポリプロプレン樹脂以外であってもよい。
また、第１の保護剤層１３および第２の保護剤層１５に使用する保護剤としては、例えば、ブラックライト・アート専用塗料を保護するための保護剤として一般に市販されているものでよい。
【００３２】
【発明の効果】
以上説明したように、本発明のブラックライト・アート用パネルは、紫外線は透過するが可視光は透過しないパネル本体と、このパネル本体にブラックライト・アート専用塗料を定着させるための定着剤層および第１の保護剤層とを有することにより、透過型のブラックライト・アート用パネルを実現することができる。
【００３３】
本発明のブラックライト・アート装置は、本発明のブラックライト・アート用パネルを備えるため、暗所でなくても絵を浮かび上がらせることができる内照型のブラックライト・アート装置を実現することができる。また、パネル本体として使用するアルコール系樹脂を立体的に加工することにより、様々な立体オブジェを作ることができる。さらに、従来の単純な塗りや平面的な描き方から、面と線、陰影とぼかし、ピースガンと刷毛などの使い分けをして微妙な細部に至るまで表現することができ、風景、夜景および動物などを立体的に仕上げ、色彩に富んだブラックライト・アートを作り上げることができる。
【００３４】
本発明のブラックライト・アート用パネルの製造方法は、紫外線は透過するが可視光は透過しないパネル本体にブラックライト・アート専用塗料を定着させるための定着剤層および第１の保護剤層を順に設けることにより、透過型のブラックライト・アート用パネルを実現することができる。
【図面の簡単な説明】
【図１】本発明のブラックライト・アート用パネルの一実施の形態の構造を示すその一部の断面図である。
【図２】本発明のブラックライト・アート装置の第１の実施の形態の構造を示す図である。
【図３】本発明のブラックライト・アート装置の第２の実施の形態の構造を示す図である。
【図４】本発明のブラックライト・アート装置の第３の実施の形態の構造を示す図である。
【図５】従来のブラックライト・アートの一例を示す図であり、（ａ）は紫外線を照射される前のブラックライト・アート用パネルを示し、（ｂ）は紫外線を照射したときのブラックライト・アート用パネルを示す。
【符号の説明】
１０，４２  ブラックライト・アート用パネル
１１  パネル本体
１２  定着剤層
１３  第１の保護剤層
１４  ブラックライト・アート専用塗料層
１５  第２の保護剤層
３０，４０，７０  ブラックライト・アート装置
３１  筐体
３２，４１，７１  ブラックライト
【図１】
2004333867.tif 000003
【図２】
2004333867.tif 000004
【図３】
2004333867.tif 000005
【図４】
2004333867.tif 000006
【図５】
2004333867.tif 000007